(57)【要約】【課題】光源ユニットを強制冷却してその温度上昇を抑えつつ、屋外での強風による冷却ファンの破壊を防ぐことができる強制冷却式ＬＥＤ照明装置を提供すること。【解決手段】吸気口５と排気口６が形成されたハウジング２内に、ＬＥＤ８を光源とする光源ユニット３と冷却ファン４を収容し、前記冷却ファン４によって前記吸気口５からハウジング２内に吸引される外気を前記光源ユニット３を通過させて前記排気口６からハウジング２外へと排出することによって前記光源ユニット３を冷却するようにした強制冷却式ＬＥＤ照明装置１において、前記冷却ファン４の近傍に開口する前記排気口６を開閉するダンパー機構７を設ける。【選択図】図２
2013229119.tif 000002
【特許請求の範囲】
【請求項１】
吸気口と排気口が形成されたハウジング内に、ＬＥＤを光源とする光源ユニットと冷却ファンを収容し、前記冷却ファンによって前記吸気口からハウジング内に吸引される外気を前記光源ユニットを通過させて前記排気口からハウジング外へと排出することによって前記光源ユニットを冷却するようにした強制冷却式ＬＥＤ照明装置において、
前記冷却ファンの近傍に開口する前記吸気口又は前記排気口を開閉するダンパー機構を設けたことを特徴とする強制冷却式ＬＥＤ照明装置。
【請求項２】
前記ダンパー機構は、前記吸気口又は排気口を開閉する平面板と、該平面板を開き方向に付勢する付勢手段を備えることを特徴とする請求項１記載の強制冷却式ＬＥＤ照明装置。
【請求項３】
前記付勢手段の付勢力は、前記平面板に所定値以上の風圧が作用すると該平面板の閉動作を許容する値に設定されていることを特徴とする請求項２記載の強制冷却式ＬＥＤ照明装置。
【請求項４】
前記冷却ファンと、水冷ジャケット、ラジエータ及び循環ポンプを備えた水冷ユニットを設けたことを特徴とする請求項１〜３の何れかに記載の強制冷却式ＬＥＤ照明装置。
【発明の詳細な説明】
【技術分野】
【０００１】
本発明は、ハウジング内に光源ユニットと冷却ファンを収容して成る強制冷却式ＬＥＤ照明装置に関するものである。
【背景技術】
【０００２】
近年、車両用前照灯や屋外照明灯等の照明装置としては、キセノンランプやナトリウムランプ等の大光量ランプを光源とするものから、長寿命で低消費電力のＬＥＤ（発光ダイオード）を光源とするものへの置き換えが進んでおり、ＬＥＤを光源とするＬＥＤ照明装置に対しては更なる高出力化が望まれている。
【０００３】
ところで、現在普及しているキセノンランプは２００Ｗ〜２０００Ｗ程度の出力のものが多く、これに代わるＬＥＤ照明装置への投入電力も増加していく傾向にあり、最近では１つのＬＥＤ照明装置への投入電力が２００Ｗを超えるものも開発されてきている。
【０００４】
このようなＬＥＤ照明装置の大電力化に伴ってＬＥＤ光源ユニットの発熱量も増加するため、温度によって寿命や出力が変化するＬＥＤ光源においては、温度をより低く抑えて安定して駆動するための冷却構造が重要な開発課題となっている。
【０００５】
ＬＥＤ照明装置の冷却構造として、例えば特許文献１には、ＬＥＤを光源とする光源ユニットと冷却ファンをハウジング内に所定距離隔てて配置することによって両者間に空間部を形成するとともに、ハウジングに吸気口と排気口を軸直角方向に形成し、前記冷却ファンによって前記吸気口からハウジング内に吸引された冷却風をハウジングの内面に沿って流すとともに、前記空間部を通過させて前記排気口からハウジング外へ排出する構成が提案されている。この冷却構造によれば、ハウジング内の空間部を流れる冷却風によって光源ユニットが強制空冷されるために該光源ユニットの温度上昇が抑えられる。
【先行技術文献】
【特許文献】
【０００６】
【特許文献１】特開２０１０−２５１１１６号公報
【発明の概要】
【発明が解決しようとする課題】
【０００７】
しかしながら、特許文献１において提案された冷却構造においては、ハウジングの排気口は常時開口しているため、特に屋外に設置されたＬＥＤ照明装置にあっては，強風を受けた場合に排気口からハウジング内に風が流入し、ハウジング内の排気口近傍に配置された冷却ファンに風が直接当たるために該冷却ファンの回転が駆動の限界を超えたり、逆に冷却ファンに逆回転方向の負荷が掛かるために該冷却ファンが破壊される可能性がある。
【０００８】
本発明は上記問題に鑑みてなされたもので、その目的とする処は、光源ユニットを強制冷却してその温度上昇を抑えつつ、屋外での強風による冷却ファンの破壊を防ぐことができる強制冷却式ＬＥＤ照明装置を提供することにある。
【課題を解決するための手段】
【０００９】
上記目的を達成するため、請求項１記載の発明は、吸気口と排気口が形成されたハウジング内に、ＬＥＤを光源とする光源ユニットと冷却ファンを収容し、前記冷却ファンによって前記吸気口からハウジング内に吸引される外気を前記光源ユニットを通過させて前記排気口からハウジング外へと排出することによって前記光源ユニットを冷却するようにした強制冷却式ＬＥＤ照明装置において、前記冷却ファンの近傍に開口する前記吸気口又は前記排気口を開閉するダンパー機構を設けたことを特徴とする。
【００１０】
請求項２記載の発明は、請求項１記載の発明において、前記ダンパー機構は、前記吸気口又は排気口を開閉する平面板と、該平面板を開き方向に付勢する付勢手段を備えることを特徴とする。
【００１１】
請求項３記載の発明は、請求項２記載の発明において、前記付勢手段の付勢力は、前記平面板に所定値以上の風圧が作用すると該平面板の閉動作を許容する値に設定されていることを特徴とする。
【００１２】
請求項４記載の発明は、請求項１〜３の何れかに記載の発明において、前記冷却ファンと、水冷ジャケット、ラジエータ及び循環ポンプを備えた水冷ユニットを設けたことを特徴とする。
【発明の効果】
【００１３】
請求項１記載の発明によれば、冷却ファンの近傍に開口するハウジングの吸気口又は排気口を開閉するダンパー機構を設けたため、屋外に設置された当該強制冷却式ＬＥＤ照明装置が強風を受ける場合には、冷却ファンの近傍に開口する吸気口又は排気口をダンパー機構によって閉じれば、吸気口又は排気口から冷却ファンに風が直接当たることがなく、冷却ファンの回転が駆動の限界を超えたり、逆に冷却ファンに逆回転方向の負荷が掛かることによる該冷却ファンの破壊が防がれる。そして、当該強制冷却式ＬＥＤ照明装置が強風を受けないときには吸気口及び排気口を開いておけば、冷却ファンによってハウジング内に吸引された外気によって光源ユニットが強制空冷されるため、該光源ユニットの温度上昇が抑えられる。
【００１４】
請求項２及び３記載の発明によれば、ダンパー機構の平面板が所定値以上の風圧を受けると、該平面板が付勢手段の付勢力に抗して吸気口又は排気口を自動的に閉じるため、手動操作によって吸気口又は排気口を開閉する必要がない。そして、平面板に所定値以上の風圧が作用しないときには、平面板は付勢手段の付勢力によって吸気口又は排気口を開いているため、ハウジング内の光源ユニットは外気によって強制空冷されてその温度上昇が抑えられる。
【００１５】
請求項４記載の発明によれば、ハウジング内の光源ユニットは、冷却ファンによる強制空冷に加えて水冷ユニットによって強制水冷されるため、該光源ユニットがより一層効果的に冷却されてその温度上昇が抑えられる。
【図面の簡単な説明】
【００１６】
【図１】本発明の実施の形態１に係る強制冷却式ＬＥＤ照明装置の斜視図である。
【図２】本発明の実施の形態１に係る強制冷却式ＬＥＤ照明装置の縦断面図である。
【図３】本発明の実施の形態１に係る強制冷却式ＬＥＤ照明装置の分解斜視図である。
【図４】本発明の実施の形態１に係る強制冷却式ＬＥＤ照明装置の通常時の外気の流れを示す模式的縦断面図である。
【図５】本発明の実施の形態１に係る強制冷却式ＬＥＤ照明装置が強風を受けたときの外気の流れを示す模式的縦断面図である。
【図６】本発明の実施の形態１に係る強制冷却式ＬＥＤ照明装置のダンパー機構の平面板のサイズと風圧との関係を示す斜視図である。
【図７】本発明の実施の形態１に係る強制冷却式ＬＥＤ照明装置のダンパー機構の捩りコイルばねの捩り角度と作用長さとの関係を示す図である。
【図８】本発明の実施の形態２に係る強制冷却式ＬＥＤ照明装置の斜視図である。
【図９】本発明の実施の形態２に係る強制冷却式ＬＥＤ照明装置の縦断面図である。
【図１０】本発明の実施の形態２に係る強制冷却式ＬＥＤ照明装置の分解斜視図である。
【図１１】本発明の実施の形態２に係る強制冷却式ＬＥＤ照明装置の水冷ユニットの基本構成図である。
【発明を実施するための形態】
【００１７】
以下に本発明の実施の形態を添付図面に基づいて説明する。
【００１８】
＜実施の形態１＞
図１は本発明の実施の形態１に係る強制冷却式ＬＥＤ照明装置の斜視図、図２は同強制冷却式ＬＥＤ照明装置の縦断面図、図３は同強制冷却式ＬＥＤ照明装置の分解斜視図であり、本実施の形態に係る強制冷却式ＬＥＤ照明装置１は、矩形ボックス状のハウジング２の内部に光源ユニット３と冷却ファン４を組み込んで構成されている。尚、以下の説明における強制冷却式ＬＥＤ照明装置１の上下は図１に示す状態においてのものであって、該強制冷却式ＬＥＤ照明装置１の設置が必ずしも図１に示す状態でなされる訳ではない。
【００１９】
上記ハウジング２は、ＰＣ等の樹脂或いはアルミニウム等の金属によって構成されており、図１に示すように、その周面には横方向に長い複数のスリットから成るルーバー状の吸気口５がそれぞれ形成され、該吸気口５に対して軸直角方向の面、つまり光源ユニット３からの光出射方向（図１の下方）とは逆方向（図１の上方）の端面である上面には、横方向に長い複数のスリットから成るルーバー状の排気口６が形成されており、この排気口６は後述のダンパー機構７によって開閉される。
【００２０】
そして、ハウジング２の下面は開口しており、この開口部には前記光源ユニット３が嵌め込まれて固定されている。尚、ハウジング２を光源ユニット３に密着させて固定したり、ハウジング２を金属若しくは高熱伝導性樹脂によって構成することによって、光源ユニット３において発生する熱をハウジング２を介して効率良く放熱させることができる。
【００２１】
前記光源ユニット３は、光源であるＬＥＤ８（図２参照）を実装して成る矩形のメタル基板９と、このメタル基板９を取り付ける矩形プレート状のベース１０と、放熱用の金属製ヒートシンク１１と、ＬＥＤ８から出射される光を光学的に制御する透明樹脂製のインナレンズ１２及びハウジング２の下面開口部に嵌め込まれる矩形プレート状の透明樹脂製のアウタレンズ１３を含んで構成されている。尚、図１〜図３においては、給電に必要なケーブルやコネクタは図示を省略している。
【００２２】
ところで、本実施の形態では、１枚のメタル基板９に２５個のＬＥＤ８を５×５のマトリックス状に実装しているが、実装するＬＥＤ８の数は任意である。又、メタル基板９も１枚である必要はなく、必要において分割した複数枚のメタル基板を使用することができる。更に、放熱用のヒートシンク１１をベース１０と一体に構成しても良い。
【００２３】
そして、メタル基板９は、熱伝導シート１４を介して前記ベース１０にネジ止めによって固定されている。又、ベース１０は、矩形の熱伝導シート１５を介してヒートシンク１１の受熱面に密着されている。尚、熱伝導シート１４，１５は、電気絶縁性と熱伝導率の高いシリコン等によって構成されている。
【００２４】
他方、図２に示すように、ハウジング２内のヒートシンク１１の上方の排気口６に近い箇所には前記冷却ファン４が配置されており、排気口６は、前述のようにダンパー機構７によって開閉される。ここで、ダンパー機構７について図４〜図７を参照しながら以下に説明する。
【００２５】
図４は強制冷却式ＬＥＤ照明装置の通常時の外気の流れを示す模式的縦断面図、図５は同強制冷却式ＬＥＤ照明装置が強風を受けたときの外気の流れを示す模式的縦断面図、図６はダンパー機構の平面板のサイズと風圧との関係を示す斜視図、図７は同ダンパー機構の捩りコイルばねの捩り角度と作用長さとの関係を示す図である。
【００２６】
ダンパー機構７は、ハウジング２の排気口６を開閉する複数の平面板（図４〜図６参照）１６と、該平面板１６を開き方向に付勢する付勢手段としての捩りコイルばね１７（図７参照）を備えており、各平面板１６は、図７に示す回動軸１８を中心として回動可能に軸支されている。
【００２７】
而して、本実施の形態では、捩りコイルばね１７の付勢力（バネ定数）は、平面板１６に所定値以上の風圧が作用すると該平面板１６の閉動作を許容して排気口６を図５に示すように閉じるような大きさに設定されている。具体的には、図６に示すように強風によって各平面板１６が受ける風圧をＦ［Ｎ／ｍ２］、平面板１６の長手方向と短手方向長さをそれぞれｘ，ｙ［ｍ］、図７に示すように捩りコイルばね１７の中心から作用点までの距離をｒ［ｍｍ］、捩り角度をθ［ｄｅｇ］としたとき、捩りコイルばね１７のバネ定数ｋ［Ｎ・ｍｍ／ｄｅｇ］は、
ｋ＝（Ｆ・ｘ・ｙ・ｒ）／θ
によって求められる値に設定される。
【００２８】
次に、以上のように構成された強制冷却式ＬＥＤ照明装置１の作用について説明する。
【００２９】
強制冷却式ＬＥＤ照明装置１が起動されて光源ユニット３と冷却ファン４に電源が供給されると、光源ユニット３の複数（本実施の形態では２５個）のＬＥＤ８が発光し、その光は、インナレンズ１２とアウタレンズ１３を通過することによって光学的に制御された後、図１の下方に向かって照射されることによって下方を照明する。このとき、光源ユニット３の点灯制御は不図示の外部電源ユニットによってなされる。
【００３０】
ところで、強制冷却式ＬＥＤ照明装置１の駆動中においては、光源ユニット３のＬＥＤ８が発熱し、そのままでは光源ユニット３が過熱されてその温度が上昇するが、本実施の形態では、冷却ファン４によってハウジング２内に導入される外気によって光源ユニット３が強制空冷されてその温度上昇が抑えられる。
【００３１】
即ち、当該強制冷却式ＬＥＤ照明装置１が屋外に設置されている場合において、ハウジング２の排気口６を開閉するダンパー機構７の各平面板１６に作用する風圧が設定値未満であって、風圧によって各平面板１６を閉じようとする力が捩りコイルばね１７の付勢力（各平面板１６を開方向に付勢する付勢力）よりも小さいときには、各平面板１６は図４に示すようにハウジング２の排気口６を開いているため、冷却ファン４によって外気が図４に矢印にて示すように吸気口５からハウジング２の内部に導入され、この外気はハウジング２内を排気口６に向かって上方に流れる過程で光源ユニット３を冷却する。このとき、光源ユニット３からの熱はヒートシンク１１に伝導し、ヒートシンク１１を外気が通過することによって該ヒートシンク１１からの放熱が促進されるため、光源ユニット３は外気によって効率良く強制空冷されてその温度上昇が一定値以下に抑えられる。
【００３２】
そして、光源ユニット３の冷却に供されて温度が上昇した外気は、図４に矢印にて示すように排気口６を通過してハウジング２外へと排出され、このような作用が繰り返されることによって光源ユニット３が強制空冷されてその温度上昇が抑えられる。
【００３３】
ところが、屋外に設置された強制冷却式ＬＥＤ照明装置１が強風を受けたためにダンパー機構７の各平面板１６に所定値以上の風圧が作用したため、各平面板１６を閉じようとする風圧による力が捩りコイルばね１７の付勢力（各平面板１６を開方向に付勢する付勢力）よりも大きくなった場合には、各平面板１６は回動軸１８（図７参照）を中心として回動して図５に示すようにハウジング２の排気口６を閉じるため、排気口６からハウジング２内への強風の流入が阻止される。このため、冷却ファン４に強風が直接当たることがなく、冷却ファン４の回転が駆動の限界を超えたり、逆に冷却ファン４に逆回転方向の負荷が掛かることによる該冷却ファン４の破壊が防がれる。
【００３４】
以上のように、本実施の形態に係る強制冷却式ＬＥＤ照明装置１においては、ダンパー機構７の平面板１６が所定値以上の風圧を受けると、該平面板１６が捩りコイルばね１７の付勢力に抗して排気口６を自動的に閉じるため、手動操作によって排気口６を閉じる必要がない。
【００３５】
而して、本実施の形態に係る強制冷却式ＬＥＤ照明装置１によれば、ダンパー機構７の平面板１６はこれに作用する風圧の大きさに応じてハウジング２の排気口６を自動的に開閉するため、光源ユニット３を強制冷却してその温度上昇を抑えつつ、屋外での強風による冷却ファン４の破壊を防ぐことができるという効果が得られる。
【００３６】
尚、本実施の形態では、ハウジング２の排気口６をダンパー機構７によって開閉するようにしたが、冷却ファン４が吸気口５の近傍に配置されている場合には、同様のダンパー機構によって吸気口５を開閉するよう構成すれば良い。
【００３７】
＜実施の形態２＞
次に、本発明の実施の形態２を図８〜図１１に基づいて説明する。
【００３８】
図８は本発明の実施の形態２に係る強制冷却式ＬＥＤ照明装置の斜視図、図９は同強制冷却式ＬＥＤ照明装置の縦断面図、図１０は同強制冷却式ＬＥＤ照明装置の分解斜視図、図１１は同強制冷却式ＬＥＤ照明装置の水冷ユニットの基本構成図である。
【００３９】
本実施の形態に係る強制冷却式ＬＥＤ照明装置１’は、前記実施の形態１に係る強制冷却式ＬＥＤ照明装置１に水冷ユニット１９を付加したものであって、他の構成は実施の形態１に係る強制冷却式ＬＥＤ照明装置１の構成と同じであるため、図８〜図１１においては図１〜図７において示しものと同一要素には同一符号を付しており、以下、それらについての再度の説明は省略する。
【００４０】
本実施の形態に係る強制冷却式ＬＥＤ照明装置１’においても、ハウジング２の上面に形成された排気口６はダンパー機構７によって開閉されるが、ハウジング２内には光源ユニット３及び冷却ファン４の他に水冷ユニット１９が組み込まれている。
【００４１】
上記水冷ユニット１９は、熱交換機器である水冷ジャケット２０と、該水冷ジャケット２０において受熱して温度が高くなった冷却水を外気（冷却風）との熱交換によって冷却するラジエータ２１と、該ラジエータ２１の外気を供給する冷却ファン４と、冷却水を閉ループの循環経路内で循環させる循環ポンプ２２及び冷却水を貯留するリザーブタンク２３を備えており、冷却ファン４はラジエータ２１と対向してこれの上方の排気口６の近傍に配置されている。
【００４２】
上記水冷ジャケット２０は、中空の矩形板状に成形されており、図９に示すようにハウジング２内の下部に水平に配置されている。そして、この水冷ジャケット２０の内部には冷却水通路が形成されており、この水冷ジャケット２０の一端上には、図９に示すように、ラジエータ２１において外気との熱交換によって冷却された冷却水が流入する入口パイプ２４と、当該水冷ジャケット２０において受熱して温度が高くなった冷却水を排出する出口パイプ２５が立設されている。
【００４３】
而して、水冷ジャケット２０の下面側には光源ユニット３が配置されており、光源ユニット３は、そのベース１０が矩形の熱伝導シート１５を介して水冷ジャケット２０の下面に密着している。尚、冷却水には、水にプロピレングリコールを混合して成る不凍液が使用されている。
【００４４】
他方、ハウジング２内の水冷ジャケット２０から所定距離だけ離間した上部の排気口６の近傍には前記ラジエータ２１と前記冷却ファン４が配置されている。そして、上下方向において水冷ジャケット２０とラジエータ２１との間には前記循環ポンプ２２と前記リザーブタンク２３が配置されている。具体的には、水冷ジャケット２０上には門型のシャーシ２６が立設されており、このシャーシ２６上に循環ポンプ２２とリザーブタンク２３が配置されている。
【００４５】
ところで、図９に示すように、水冷ジャケット２０の出口パイプ２５から上方へ立ち上がる配管（ゴムホース）２７は、ラジエータ２１の入口パイプ２８に連結されており、ラジエータ２１の出口パイプ２９から延びる配管（ゴムホース）３０は、下方に延びた後に略直角に曲げられて循環ポンプ２２の吸入側に接続されている。そして、循環ポンプ２２の吐出側から延びる図１１に示す配管（ゴムホース）３１は、リザーブタンク２３の入口側に接続されており、リザーブタンク２３の出口側から延びる配管（ゴムホース）３２（図１１参照）は、図９及び図１１に示すように水冷ジャケット２０の入口パイプ２４に接続されている。このように水冷ジャケット２０、ラジエータ２１、循環ポンプ２２及びリザーブタンク２３は、配管（ゴムホース）２７，３０〜３２によって連結されて閉ループを成す循環経路を構成しており、この循環経路を冷却水が循環することによって所要の冷却作用がなされる。
【００４６】
而して、以上のように構成された強制冷却式ＬＥＤ照明装置１’が起動されて光源ユニット３と水冷ユニット１９に電源が供給されると、光源ユニット３の複数（本実施の形態では２５個）のＬＥＤ８が発光し、その光はインナレンズ１２とアウタレンズ１３を通過して光学的に制御された後に下方に向かって照射されて下方を照明する。このとき、光源ユニット３の点灯制御は不図示の外部電源ユニットによってなされる。
【００４７】
ところで、強制冷却式ＬＥＤ照明装置１’の駆動中においては、光源ユニット３のＬＥＤ８が発熱し、そのままでは光源ユニット３が過熱されてその温度が上昇するが、本実施の形態では、冷却ファン４によってハウジング２内に導入される外気によって光源ユニット３が強制空冷されるとともに、水冷ジャケット２０によって光源ユニット３が強制水冷される。以下、水冷ユニット１９による光源ユニット３の強制冷却について説明する。
【００４８】
水冷ユニット１９の循環ポンプ２２によって循環経路を循環する冷却水は、水冷ジャケット２０において光源ユニット３で発生する熱を受熱して光源ユニット３を冷却し、受熱によって温度が高くなった冷却水は、配管２７を通ってラジエータ２１へと導入される。
【００４９】
他方、冷却ファン４が不図示のモータによって回転駆動されると、外気がハウジング２の周面に形成された吸気口５から冷却風としてハウジング２内に側方から吸引され、この外気は、ラジエータ２１を通過して排気口６からハウジング２外へと排出される。そして、ラジエータ２１においては、ここを通過する外気によって冷却水の熱が外部に放熱されて該冷却水が冷却され、温度の下がった冷却水は、配管３０を通って循環ポンプ２２に吸引される。
【００５０】
循環ポンプ２２に吸引された冷却水は、昇圧された後に循環ポンプ２２から配管３１を通ってリザーブタンク２３へと送り出され、その一部はリザーブタンク２３に貯留され、残りの冷却水は、リザーブタンク２３から配管３２を通って水冷ジャケット２０へと導入されて光源ユニット３の冷却に供される。そして、以上の作用（冷却サイクル）が連続的に繰り返されて光源ユニット３が水冷ジャケット２０を流れる冷却水によって強制冷却され、その温度上昇が一定値以下に抑えられるとともに、ハウジング２がその内部を通過する外気によって強制空冷されてその温度上昇が抑えられる。
【００５１】
而して、本実施の形態に係る強制冷却式ＬＥＤ照明装置１’においても、ハウジング２の排気口６が風圧に応じてダンパー機構７によって開閉されるため、前記実施の形態１と同様の効果が得られるが、本実施の形態では、ハウジング２内の光源ユニット３は、冷却ファン４による強制空冷に加えて水冷ユニット１９によって強制水冷されるため、該光源ユニット３がより一層効果的に冷却されてその温度上昇が抑えられるという効果が得られる。
【００５２】
尚、本実施の形態においても、ハウジング２の排気口６をダンパー機構７によって開閉するようにしたが、冷却ファン４が吸気口５の近傍に配置されている場合には、同様のダンパー機構によって吸気口５を開閉するよう構成すれば良い。
【符号の説明】
【００５３】
１，１’    強制冷却式ＬＥＤ照明装置
２          ハウジング
３          光源ユニット
４          冷却ファン
５          吸気口
６          排気口
７          ダンパー機構
８          ＬＥＤ
９          メタル基板
１０        ベース
１１        ヒートシンク
１２        インナレンズ
１３        アウタレンズ
１４，１５  熱伝導シート
１６        平面板
１７        捩りコイルばね（付勢手段）
１８        回動軸
１９        水冷ユニット
２０        水冷ジャケット
２１        ラジエータ
２２        循環ポンプ
２３        リザーブタンク
２４        入口パイプ
２５        出口パイプ
２６        シャーシ
２７        配管（ゴムホース）
２８        入口パイプ
２９        出口パイプ
３０〜３２  配管（ゴムホース）
【図１】
2013229119.tif 000003
【図２】
2013229119.tif 000004
【図３】
2013229119.tif 000005
【図４】
2013229119.tif 000006
【図５】
2013229119.tif 000007
【図６】
2013229119.tif 000008
【図７】
2013229119.tif 000009
【図８】
2013229119.tif 000010
【図９】
2013229119.tif 000011
【図１０】
2013229119.tif 000012
【図１１】
2013229119.tif 000013